(57)【要約】【課題】  光学機器内を通る光束がアクチュエータに入射するのを防止して、ゴーストやフレアの発生を阻止する。【解決手段】  アクチュエータ（４９）を有する光学ユニットと、アクチュエータを制御する制御ユニットと、制御ユニット（２２）とアクチュエータとの間で電気信号を伝達するフレキシブル基板（４６）とを有し、アクチュエータは、光学ユニットを通る光束に面した光束側部分を有し、フレキシブル基板は、光束側部分を覆うように配置され、かつ該フレキシブル基板の光束側の面には反射防止処理が施されていることを特徴とする光学機器。【選択図】  図４
2005221959.tif 000002
【特許請求の範囲】
【請求項１】
アクチュエータを有する光学ユニットと、
前記アクチュエータを制御する制御ユニットと、
前記制御ユニットと前記アクチュエータとの間で電気信号を伝達するフレキシブル基板とを有し、
前記アクチュエータは、前記光学ユニットを通る光束に面した光束側部分を有し、
前記フレキシブル基板は、前記光束側部分を覆うように配置され、かつ該フレキシブル基板の前記光束側の面には反射防止処理が施されていることを特徴とする光学機器。
【請求項２】
前記フレキシブル基板における前記光束側の面のうち前記反射防止処理が施された領域又は該領域の裏側の領域には、前記電気信号を伝達する配線パターンが形成されていることを特徴とする請求項１に記載の光学機器。
【請求項３】
前記アクチュエータは、コイル、マグネットおよびヨークを有して構成され、
前記フレキシブル基板は、前記コイル、マグネットおよびヨークのうち少なくとも１つの前記光束側部分を覆うように配置されていることを特徴とする請求項１又は２に記載の光学機器。
【請求項４】
前記光学ユニットは、遮光部材を移動させて前記光束の通過量を変化させる光量調節ユニットであり、
前記アクチュエータは、前記遮光部材を駆動することを特徴とする請求項１から３のいずれか１つに記載の光学機器。
【請求項５】
前記光学ユニットは、光学素子を移動させて前記光束により形成される像の振れを抑制する振れ補正ユニットであることを特徴とする請求項１から３のいずれか１つに記載の光学機器。
【請求項６】
前記振れ補正ユニットは、前記光学素子を所定位置に保持するロック機構を有し、前記アクチュエータは該ロック機構を駆動することを特徴とする請求項５に記載の光学機器。
【発明の詳細な説明】
【技術分野】
【０００１】
本発明は、振れ補正装置や電磁絞りといったコイルやヨーク及びマグネットを使用する要素を有するレンズ鏡筒及びそれを用いた光学機器に関するもので、特にそのレンズ鏡筒及び光学機器によって得られる画像のゴーストやフレアーといった不具合を防止する為のものである。
【背景技術】
【０００２】
現在のカメラは露出決定やピント合わせ等の撮影にとって重要な作業は全て自動化されていることが多く、カメラ操作に未熟な人でも撮影操作を誤る可能性は非常に少なくなっている。また、最近ではカメラに加わる手振れを防ぐシステム（防振システム）も商品化され、撮影者の撮影ミスを誘発する要因は殆どなくなってきている。ここで、手振れを防ぐシステムについて簡単に説明する。
【０００３】
撮影時のカメラの手振れは、周波数として通常１Ｈｚ乃至１２Ｈｚの振動である。シャッターボタンのレリーズ時に、このような手振れを起こしていても像振れのない写真を撮影可能とするための基本的な考えとしては、上記手振れによるカメラの振動を検出し、その検出値に応じて補正レンズを変位させることである。
【０００４】
従って、カメラの振れが生じても像振れを生じない写真を撮影するためには、第１にカメラの振動を正確に検出し、第２に手振れによる光軸変化を補正することである。この振動（カメラ振れ）の検出は、原理的にいえば角加速度，角速度，角変位等を検出する振動検出ユニットと、この振動検出ユニットからの出力信号を電気的あるいは機械的に積分して角変位を出力するカメラ振れ検出ユニットとをカメラに搭載することによって行っている。
【０００５】
そして、この検出情報に基づき補正レンズを保持したレンズ保持枠を光軸に直交する面内で駆動して、像振れを防止する。
【０００６】
このような像振れ補正機能を備えたカメラなどの光学機器は、種々提案されており、そ一例が、以下の特許文献１及び２に開示されれている。
【０００７】
特許文献１では、振れ補正ユニット近傍の光線漏れやゴースト、フレアーによる画像の劣化を防止するために、振れ補正のための補正光学系の物体側に遮光部材を配置している。また、特許文献２では、係止手段に遮光部材を一体形成した構成にしている。これにより、補正レンズを保持したレンズ保持枠を光軸直交面内で駆動させたときに形成される空間を介して入射する有害光が、例えばカメラを例にすると、撮影光束中に混在するのを防止している。
【０００８】
また、レンズ鏡筒などの光学機器においては、特許文献３に開示されているような光量調節装置を用いている。
【特許文献１】特許３０４４９３０号公報（段落番号００３９、００４０）
【特許文献２】特開平９−６１８７９号公報（段落番号００８５、００８６）
【特許文献３】特開平１０−２０３５９号公報（図１など）
【発明の開示】
【発明が解決しようとする課題】
【０００９】
特許文献２のレンズ鏡筒では、図８に示すように、係止手段７１９の遮光部分を光軸方向に延長させているが、係止手段７１９の駆動源であるコイル７２０の光束側の側面７２０ａには、その構成上、係止手段７１９を配置できないため、コイル線の色が光束側に露出した状態となっている。このため、この露出部分にレンズ鏡筒内に入りこむ光線が当たってしまった場合、ゴーストが発生してしまう。また、ゴーストの発生を押さえるために、反射防止塗料をコイルに塗布するという方法もあるが、塗布できる塗料に制限もあり、さらに高度な塗り作業が必要となり、作業に手間がかかる。
【００１０】
また、係止手段７１９を駆動用コイル７２０の内周面７２０ａを覆うように構成した場合、駆動用コイル７２０を外径側に大きくシフトして配置しなければならないため、振れ補正ユニット自体、惹いてはレンズ鏡筒自体が径方向に大きくなってしまい小型化の要請に反することになる。
【００１１】
また、特許文献３に開示された絞りユニットでは、絞りユニットの駆動部が光軸方向に突出した形状となっている。従って、この駆動部の光束側の内周面はヨークが光束側に露出した状態となり、光学系の配置によってはこの駆動部の内周面に入射した有害光によって、ゴーストやフレアが生じるおそれがある。そこで、ヨークの光束側の部分に反射防止塗料を塗布したり、駆動部を外径側にシフトさせ（外径を大きくする）、光束と駆動部との間に、別部品を配置するなどしてゴーストなどの発生を防止する方法もあるが、上記振れ補正装置の場合と同様に作業工数上不利であり、またコンパクト化を妨げる要因となってしまっていた。
【００１２】
上記課題に鑑み、本発明は、コイルやヨークなどからなるアクチュエータの光束側（内周側）の面に光束が入射することによって生じる、ゴースト、フレアーを防止するとともに、新たな部品や高度な作業の手間を省きながら、光学機器を小型化することを目的とする。
【課題を解決するための手段】
【００１３】
上記課題を解決するため、本願発明の光学機器は、アクチュエータを有する光学ユニットと、アクチュエータを制御する制御ユニットと、制御ユニットとアクチュエータとの間で電気信号を伝達するフレキシブル基板とを有し、アクチュエータは、光学ユニットを通る光束に面した光束側部分を有し、フレキシブル基板は、光束側部分を覆うように配置され、かつ該フレキシブル基板の光束側の面には反射防止処理が施されていることを特徴とする。
【発明の効果】
【００１４】
本発明によれば、アクチュエータの光束に面した光束側部分が、フレキシブル基板によって覆われ、このフレキシブル基板の光束側の面には、反射防止処理が施されているため、光学機器を通る光束がアクチュエータに入射するのを防止して、ゴーストやフレアの発生を阻止できる。
【００１５】
また、光学機器のアクチュエータに電気信号を伝達するフレキシブル基板に、反射防止処理を施し、新たな部品を追加することなくゴーストやフレアの発生を阻止できるため、光学機器を小型化することができる。
【００１６】
アクチュエータが、例えばコイルの場合、表面が凹凸形状であるため、反射防止処理を施すために高度な作業が必要とされるが、本発明では、フレキシブル基板に反射防止処理を施しているため、作業の手間を省いて、コストを削減できる。
【発明を実施するための最良の形態】
【００１７】
以下、本発明の実施例について説明する。
【実施例１】
【００１８】
まず、図１を用いて、本実施例の光学機器としてのカメラの概要を説明する。ここで、図１は、カメラの正面斜視図である。
【００１９】
１００はカメラ本体であり、カメラ本体１００の前面には、後述するマウント９が設けられており、このマウント９には、ズーミングが可能なレンズ鏡筒２００が着脱可能に装着される。レンズ鏡筒２００についての詳細な説明は、後述する。
【００２０】
カメラ本体１００の正面に向かって右側には、撮影モードを決定するダイヤル式の撮影モードダイヤル３００が設けられており、撮影モードダイヤル３００の左側には、ストロボ発光装置４００が設けられており、ストロボ発光装置４００の左側には、レリーズボタン５００が設けられている。
【００２１】
ストロボ発光装置４００は、カメラ本体１００に対して開閉可能になっており、撮影時に、開方向に駆動されて、被写体にストロボ光を照射する。
【００２２】
レリーズボタン５００は、二段式の操作スイッチになっており、第１ストローク操作で撮影準備動作(焦点検出動作、測光動作など)が開始され、第２ストローク操作で撮影動作(不図示のＣＣＤ、ＣＭＯＳセンサなどの撮像素子への露光と撮像素子から出力される画像信号の記録媒体への記録)が開始される。その他のカメラ本体１００の説明は、省略する。
【００２３】
次に、図２を用いてレンズ鏡筒２００の構造について説明する。図２は、レンズ鏡筒２００の光軸方向を含む断面図である。図中の中心線より上側は広角端(ワイド端)での構成、中心線より下側は望遠端(テレ端)での構成を表している。
【００２４】
レンズ鏡筒２００において、Ｌ１〜Ｌ６はそれぞれレンズユニットを表しており、ズーム操作環１の進退に応じて焦点距離を変更できる構成となっている。ズーム操作環１のうち、外周には操作し易い様に操作ゴム１ａが配置され、前端部には不図示のフードの取り付けるための爪１ｂが配置され、後端部にはフォーカス操作環２及びズーム操作調節リング３が配置されている。ズーム操作調節リング３を回転させることによってズーム調節リング３の内側の固定筒４との摩擦力が変化し、ズーム操作環１の操作の負荷を調節することができる。
【００２５】
５は直進筒でありズーム操作環１、レンズユニットＬ１を保持している第１鏡筒１３とともに光軸方向に進退する。直進筒５にはカム５ａが設けられ、このカム５ａのカムフォロワーはカム環６に固定されているため、第１鏡筒１３の進退に伴って光軸周りに回転しながら被写体側に移動する。
【００２６】
なお、カム環６の光軸方向の移動量は、第５鏡筒（振れ補正ユニット）１２の光軸方向の移動量と同一であり、第５鏡筒１２は、移動筒１１に固定されており、カム環６に設けられた不図示の周溝部に移動筒１１に固定されたカムフォロワーが摺動することでカム環６の光軸方向の駆動力が伝達されるようになっている。
【００２７】
７は２段形状に構成された案内筒であり、像面側の段部の斜線部で示した位置にフォーカスユニット８が固定され、像面側の端部には、固定筒４、マウント９がビスによって固定されている。１０は防水ゴムでありカメラに装着された際にマウント９への水の浸入を防止している。
【００２８】
カム環６に設けられた光軸方向に延びる案内溝部と移動筒１１に設けれたカム１１ａには、フォーカスカム環１５に固定されたカムフォロワーが係合しており、フォーカスカム環１５が光軸周りに回転しながら被写体側に移動することによって、第２レンズ保持ユニット１４は、光軸周りに回転することなく進退する。
【００２９】
なお、第２鏡筒１４は、フォーカスレンズユニットＬ２を保持しており、フォーカスユニット８からの出力（オートフォーカス）やフォーカス操作環２の回転操作（マニュアルフォーカス）に応じた駆動力がフォーカスキー１６を介して伝達されることによって駆動される。
【００３０】
また、本実施例のレンズ鏡筒２００では、フォーカスカム環１５の回転によってフォーカスカムの使用領域を変化させることで、第２鏡筒１４の光軸方向への移動量を変化させている。
【００３１】
レンズユニットＬ３を保持している第３鏡筒１８には、絞りユニット１７が固定されている。第３鏡筒１８は、カム環６に設けられているカム溝部６ａと移動筒１１に設けられている不図示の直進溝部に第３鏡筒１８と一体の不図示のカムフォロワーが摺動することよって、光軸方向に進退する。
【００３２】
レンズユニットＬ４を保持している第４鏡筒１９も同様に、カム環６に設けられているカム溝部６ｂと移動筒１１に設けられている不図示の直進溝部に第４鏡筒１９と一体の不図示のカムフォロワーが摺動することで光軸方向に進退する。
【００３３】
レンズユニットＬ６を保持している第６鏡筒２０も同様に、カム環６に設けられているカム溝部６ｃと案内筒７に設けられている不図示の直進溝部に第６鏡筒２０と一体の不図示のカムフォロワーが摺動することで光軸方向に進退する。
【００３４】
２１は三脚座であり、三脚等の支持部材に固定するためのネジ部２１ａが設けられている。
【００３５】
２２は、レンズ鏡筒２００全体の制御を司る制御回路であり、案内筒７に光軸を中心として囲むように複数の平面部を形成した状態で固定されている。また、制御回路２２は、接点２２を介してフォーカスユニット８及びカメラ本体１００に対して電気的に接続されており、更に、図４に示すシフトＦＰＣ４０を介して振れ補正ユニット１２に、図６に示すＦＰＣ６２を介して絞りユニット１７に接続されている。
【００３６】
また、振れ補正ユニット１２の駆動目標を定める振れ検出器としての振動ジャイロは、制御回路２２に半田付けされるとともに案内筒７にゴムを介して固定されている。
【００３７】
次に、振れ補正ユニット１２の構成を図３を用いて説明する。ここで、図３は、振れ補正ユニットの分解斜視図である。
【００３８】
同図においてベース部材３０は、筒形状に構成されており、その外周面には周方向３箇所にコロ座３０ａ（２つは不図示）が設けられており、これらのコロ座３０ａには不図示の鏡筒コロがビス止められている。
【００３９】
これらの鏡筒コロが、移動筒１１に設けられた不図示の取り付け穴部に係合することで、ベース部材３０が移動筒１１に固定される。
【００４０】
磁性体としての第１ヨーク３２は、第１ヨーク３２に形成された３箇所の穴部３２ａを貫通する３本のビス３４が地板３０の穴部３０ｂにねじ込まれることによって固定される。また、第１ヨーク３２には、ネオジウムマグネット等の永久磁石３３ａ（シフトマグネット）が磁力によって吸着している。Ｌ５は光軸直交面内で駆動され、像振れを防止する第５レンズユニットであり、支持枠３１に保持されている。
【００４１】
支持枠３１のうち、物体側(図中左側)の面にはボビンユニット３５が非磁性体の３本のビス３６によって固定され、像面側(図中右側)の面にはＩＲＥＤ等の投光素子（不図示）が接着されている。該投光素子からの光束は、スリット３１ａを通って後述するＰＳＤ等の位置検出素子４０ｂに入射する。これにより、支持枠３１の位置を検知することができる。
【００４２】
また、ボビンユニット３５には、シフトコイル３５ｐ、３５ｙが接着して固定されており、これらのコイル線の端部は、ボビンピン３５ａに巻きつけられるとともに、半田付けされる。
【００４３】
支持枠３１の外周面には、周方向３箇所(２つは不図示)に穴部３１ｂが形成されており、これらの穴部３１ｂには支持ピン３７が係合している。これらの支持ピン３７は、地板３０に形成された周方向に延びる３つのカム溝部３０ｃを貫通して、地板３０の径方向外側に突出している。
【００４４】
これにより、支持枠３１を、地板３０に対して光軸方向に位置決めするとともに光軸直交面内でスムーズに移動できるようにしている。
【００４５】
３８は、非磁性のステンレス材から構成されたＬ字軸であり、一端が支持枠３１によって支持され、他端が地板３０に形成された軸受部３０ｄに支持されている。このＬ字軸３８がストッパーの役割を果たすことにより、支持枠３１の光軸周りの回転を阻止することができる。
【００４６】
なお、Ｌ字軸３８、地板３０に形成された軸受部３０ｄ，支持枠軸受け部のガタは光軸方向に大きく設定してあり、支持ピン３７、地板３０のカム溝部３０ｃ、穴部３１ｂによる光軸方向の制限と重複嵌合してしまうことを防いでいる。
【００４７】
第２ヨーク３９の物体側の面には、複数の突起が形成されており、これらの突起の先端部に位置検出素子４０ｂ、出力増幅用ＩＣ（不図示）、接続用コネクタ４０ｃ等が実装されたシフト基板４０が当接している。このシフト基板４０には、位置決め穴部４０ａが３つ形成されており、これらの位置決め穴部４０ａに対して地板３０の位置決め凸部３０ｄを係合させるとともに、３本のビス４１をねじ込んで第２ヨーク３９にビス止めている。上述のように、シフト基板４０は、制御回路２２に対して電気的に接続されている。
【００４８】
なお、第２ヨーク３９に形成された複数の突起部は、一つの突起部を除きシフト基板４０に形成された配線パターンに対して接触しないように設計されており、当接によるパターンの断線を防止している。配線パターンと接触しない一つの突起部は、シフト基板４０のグランドパターンに当接しており、これにより第２ヨーク３９を接地（アース）できるため、シフト基板４０内の素子を静電気による破壊から防ぐことができる。
【００４９】
また、第２ヨーク３９の像面側の面には、永久磁石３３ａと同形上の永久磁石３３ｂが磁気的に吸着し固定されている。
【００５０】
上述の構成によれば、第１ヨーク３２、永久磁石３３ａ、永久磁石３３ｂ及び第２ヨーク３９による閉磁路が形成され、その磁気回路内をボビンユニット３５のコイル３５ｐ等に通電することで支持枠３１が駆動される。また。この磁気回路により磁石が対向している部分で第１ヨーク３２と第２ヨーク３９が引き合っているため、シフト基板４０が取り付けられた第２ヨーク３９をビス４２のみで地板３０に固定したとしても、第２ヨーク３９が、位置ずれを起こしたりすることはない。
【００５１】
４３はシフトＦＰＣであり、このシフトＦＰＣ４３の両端に配置された第１の取り付け部４３ａ及び第１の取り付け部４３ａよりも光軸側に配置された第２の取り付け部４３ｂはそれぞれ、ボビンユニット３５のボビンピン３５ａ及びシフト基板４０に実装されている位置検出素子４０ｂに対向して支持枠３１に接着されている不図示の２個のＩＲＥＤに半田付けされている。
【００５２】
４３ｃはシフト基板４０に実装されているコネクタに電気的に接続される接続部であり、接続部４３ｃと第２の取り付け部４３ｂの間には折り曲げ部が形成されている。支持枠３１をシフトさせると、これに応じて折り曲げ部が弾性変形するため、シフトＦＰＣ４３が突っ張るのを防止できる。
【００５３】
これにより、ＩＲＥＤとコイル３５ｐ、３５ｙの駆動をシフト基板４０よりシフトＦＰＣ４３を介して行っている。
【００５４】
次に、振れ補正ユニット１２を構成する各部品の配置を図３及び図４を用いて説明する。
ここで、図４は、振れ補正ユニット１２を像面側から見たときの構造図であり、説明を容易にするために、図３中のロックヨーク４７及びロックマグネット４８ｂを外した状態で図示している。
【００５５】
まず、地板３０には貫通穴部３０ｆが形成されており、そこから第１ヨーク３２の背面が露出している。この貫通穴部３０ｆに裏側よりロックマグネット４８ａが組み込まれ、第１ヨーク３２と磁気結合している。
【００５６】
ロックリング４５における、内周側には径方向外側に凹んだロックカム部４５ａが周方向４箇所に形成されており、外周側には径方向内側に凹んだロックリング凹部４５ｄが周方向４箇所に形成されている。支持枠３１には、ロックカム部４５ａと同位相の位置に突起部３１ｃが形成されている。
【００５７】
従って、ロックリング４５が光軸周りに回動することによって、突起部３１ｃの回転位相がロックカム部４５ａとずれている場合（つまり突起部３１ｃとロックリングの内周部４５ｆが当接している場合）は、支持枠３１がロックされている状態（係止されている状態）であり、ロックカム部４５ａと突起部３１ｃの回転位相が一致しているときは支持枠３１がフリーに光軸垂直面内を移動できる（非係止状態）。
【００５８】
また、ロックリング４５の平面部４５ｃにはロックコイル４９が接着され、コイル線の先端は、ロックリング４５の外周に貼り付けられているロックＦＰＣ(フレキシブルプリント基板)４６の先端部４６ｂに半田付けされている。ロックＦＰＣ４６の基端部には、吸着コイル５０の接続ピン５０ａを挿入するための穴部４６ａが形成されており、接続ピン５０ａは、穴部４６ａに対して半田付けされている。ロックＦＰＣ４６には、制御回路２２から出力された電気信号をロックコイル４９に伝達するための配線パターンが形成されている。
【００５９】
また、ロックＦＰＣ４６の接続部４６ｅは、シフト基板４０のコネクタ４０ｃに対して電気的に接続されている。ロックＦＰＣ４６には、ロックリング４５の光軸周りの回転動作に応じて曲げ状態から伸び状態に変化するＵターン部４６ｄが設けられている。
【００６０】
したがって、ロックリング４５の回転動作に抗してロックＦＰＣ４６が突っ張ることがないため、負荷が少ない状態でロックリング４５を光軸周りに回転させることができる。
【００６１】
吸着コイル５０の中心軸には、吸着ヨーク５１が入り込み、この吸着ヨーク５１にロックリング４５に保持された磁性体であるアマーチャー５６が当接し、吸着コイル５０の吸着力によりロックリング４５が保持されている状態が、前述のフリーに光軸垂直面内を支持枠３１が移動できる状態である。また、吸着コイル５０の固定は、吸着ヨーク５１をビス５２で地板３０にビス止めすることで行っている。
【００６２】
尚、アマーチャー５６の保持はロックリング４５に設けられている穴部４５ｅにアマーチャー軸５７をゴム５９を入れた状態で挿入し、その後アマーチャーバネ５８をアマーチャー軸５７に挿入した後、アマーチャー５６とアマーチャー軸５７を締めることで保持している。この時、アマーチャー軸５７はアマーチャー５６の位相での光軸に対して接線方向に保持されていることになる。また、アマーチャーバネ５８は、ロックリング４５とアマーチャー５６を突っ張る方向で付勢している。
【００６３】
次に、ロックリング４５の組込みについて説明する。まず、ロックリング４５のロックリング凹部４５ｄを地板３０に形成された４つの内径突起３０ｈに位相を合わせて、ロックリング４５を地板３０に押し込む。なお、内径突起３０ｈのうち一つは、不図示としている。
【００６４】
次に、ロックリング４５をアンロック方向（図４の時計回り方向）に回動して、地板３０に対し係合させる。これによりロックリング４５は、地板３０に対する光軸方向の相対移動が阻止された状態で、光軸回りに回転可能となる。
【００６５】
そして、ロックリング４５が回動することによって、再びロックリング凹部４５ｄと突起３０ｈとが同位相となって、ロックリング４５が地板３０から外れるのを防止するために、ロックゴム５４を地板３０の穴部３０ｉに固定してロックリング４５の駆動範囲を制限している。
【００６６】
ロックゴム５４の周辺部には、その略外周の半分を囲むようにして凸形状部が形成されており、これらの凸形状部によってロックゴム５４の倒れ方向が決定される。また、ロックヨーク４７を地板３０に対して２本のビス５３で固定する際に若干チャージする寸法関係で挟み込んで抜け止めにしている。
【００６７】
ロックヨーク４７には、ロックマグネット４８ｂが光軸方向にてロックマグネット４８ａと対向するように配置されており、これらによって閉磁路が形成され、この磁路内にあるロックコイル４９に通電することでロックリング４５の回転駆動を行っている。
【００６８】
なお、ロックリング４５及び地板３０にはそれぞれ、引っ掛け部４５ｂ、３０ｇが形成されており、これらの引っ掛け部４５ｂ、３０ｇは、スプリング５５によって連結されている。
【００６９】
スプリング５５の不勢力によって、ロックリング４５は、図４中反時計回り方向に常に付勢された状態となるが、ロックリング４５のストッパー４５ｆがロックゴム５４に当接するため、地板３０から外れることはない。
【００７０】
また、振れ補正ユニット１２、レンズ鏡筒２００自体をコンパクトに構成するためには、振れ補正ユニット１２を構成する地板３０の内外径差は小さくする必要がある。そのため、本実施例では、ロックコイル４９の光軸側の面と光軸との間に、ロックリング４５の壁を設けていない。
【００７１】
従って、レンズユニットの配置によっては（本実施例においては望遠側）ロックコイル４９の巻線が、レンズ鏡筒２００内を通過する光束に露出することになり、この露出した部分に有害光が入射することによって、ゴーストやフレアーを招くおそれがある。
【００７２】
そこで、本実施例においては、ロックコイル４９の周り（光軸に対して略平行な部分）にロックＦＰＣ４６を巻き付けて、ロックコイル４６のコイル線が光束側に露出するのを防ぐとともに、ロックＦＰＣ４６の光束側の面４６ｃ（図４の斜線部）に反射防止塗料を塗布して、ゴーストやフレアーの発生を阻止している。
【００７３】
また、ロックリング４５の材料である樹脂を用いて、ロックコイル４９と光束との間に壁を形成するよりも、ＦＰＣで覆うほうが薄くできるため、レンズ鏡筒を径方向に小型化することができる。
【００７４】
また、ロックコイル４６のコイル線に反射防止塗料を直接塗布する場合、コイル線の表面は凹凸であるため、塗装片ゴミの落下等を防止するために、高度な塗装作業が要求される。本実施例では、このような手間を省いて、半田付け部４６ｂとシフト基板接続部４６ｅとの間にロックコイル４６を覆う部分を設けているのでコストアップ無く、ゴーストやフレアの発生を阻止することができる。
【実施例２】
【００７５】
図５を用いて、本発明のレンズ鏡筒に組み込まれた振れ補正ユニットについて説明する。なお、実施例１と同一の構成要素は、同一符号を付して説明を省略する。
【００７６】
ここで、図５は、本実施例の振れ補正ユニットを物体側から見た図である。ロックリング４５は、地板３０に対する光軸方向の相対移動が阻止された状態で、光軸回りに回転可能となっている。ロックヨーク４７には、図３に示すロックマグネット４８ａ、４８ｂが対向するようにして配置されている。そして、これらによって形成された閉磁路内に位置するロックコイル４９に通電することで、ロックリング１４５が駆動される。
【００７７】
ロックリング１４５には、レンズ鏡筒に組み込んだ際に他の鏡筒との干渉を避けるための凹部１４５ａが、周方向３箇所に形成されている。凹部１４５ａからは、吸着ヨーク５０及び吸着コイル５１のうち斜線部Ａに対応した部分が光束側に露出しているため、撮影時にレンズ鏡筒に入射した光束が露出部分で反射され、ゴースト、フレアが発生するおそれがある。
【００７８】
そこで、本実施例では、吸着コイル５０及び吸着ヨーク５１のうち光束に面した領域、つまり上述の領域Ａを吸着コイル５０に通電するためのＦＰＣ１４６で覆うとともに、この覆った部分に、反射防止塗料を塗布している。これにより、ゴーストやフレアーといった不具合が発生するのを防止することができる。
【００７９】
また、給電の半田付け部１４６ａとシフト基板４０との接続部分で覆っているため、大幅なコストアップや高度な作業等も無く不具合を解消することができる。
【実施例３】
【００８０】
次に、本発明を絞りユニット１７（図２参照）に適用した場合について、図６及び図７を用いて説明する。図６は絞りユニットの斜視図であり、図７は絞りユニット１７を駆動するステッピングモータの分解図である。まず、図７を用いて、ステッピングモータの構成について説明する。
【００８１】
１９１、１９２は軟磁性体の同形状の板を複数枚（６枚）を積層して固着したステータヨークである。ステータヨーク１９２は、ステータヨーク１９１を裏返しにして使用しているものである。
【００８２】
１９３はステータヨーク１９１，１９２の励磁状態により回転可能となるプラスチックマグネット製のロータであり、その外周は分割的にかつ交互に複数着磁されており、また異方配向されている。ロータ１９３の出力軸１９３ｂの先端部には、ギア１９３ａが取り付けられており、ロータ１９３とともに回転する。ギア１９３ａは、不図示の伝達機構を介して絞りバネ６３に接続されており、ロータ１９３の回転動作に応じて絞りバネ６３が開閉するように構成されている。
【００８３】
１９４，１９５はそれぞれステータヨーク１９１，ステータヨーク１９２を励磁するためのコイルであり、コイル１９４，１９５は同一部品で構成されている。このコイル１９４，１９５は、接続端子１９４ａ，１９４ｂ，１９５ａ，１９５ｂから通電されることにより、それぞれステータヨーク１９１，１９２を励磁する構成である。
【００８４】
これらのステータヨーク１９１，１９２は、地板１９７に設けられた軸部１９７ｅよって位置決めされ支持されている。また、ロータ１９３の回転軸１９３ｂが地板１９７に回転可能に支持されている。１９６はモータケース蓋であり、ロータ１９３の回転軸１９３ｃを回転可能に支持するとともに、爪部１９６ａ〜１９６ｅをそれぞれ地板１９７の不図示の溝部に引っ掛けることにより、ステッピングモータ１９としてユニット化されている。
【００８５】
次に、ステッピングモータ１９の動作について説明する。コイル１９４，１９５に接続端子１９４ａ，１９４ｂ、１９５ａ，１９５ｂを介して通電することにより、ステータヨーク１９１，１９２に磁界が発生し、マグネットロータ１９３の磁界と作用し合い、閉磁路を形成する。このときコイル１９５に通電されていなければ通電されたコイル１９４によって生じた磁路が支配的となり、マグネットロータ１９３に回転トルクを発生させる（コイル１９５のみの通電時も同じ）。
【００８６】
また、両コイル１９４，１９５に通電された場合も同様にステータヨーク１９１，１９２にそれぞれ磁路を形成し、マグネットローラ１９３と作用し合い、マグネットロータ１９３に回転トルクを与える。
【００８７】
したがって、両方のコイル１９４，１９５に順次電流方向を切り換えながら通電することにより、ステッピングモータ１９を駆動することができる。これにより、マグネットロータ１９３とともに回転するギア部１９３ａの駆動力が不図示の伝達機構を介して絞り羽根６３に伝達され、絞り羽根６３によって形成される光通過口の開口面積が変化する。
【００８８】
次に、図６を用いて、ＦＰＣ６２のステッピングモータ１９に対する取り付け位置を説明する。ここで、図６は、ＦＰＣ６２が取り付けられたステッピングモータ１９の斜視図である。
【００８９】
図６に示すように、ＦＰＣ６２は、ステッピングモータ１９のうちモータケース蓋１９６に直交する方向の部分を覆うようにして取り付けられており、ＦＰＣ６２のうち光束に面した領域６２ｂには、反射防止塗料が塗布されている。これにより、ステータヨーク１９１、１９２の光束側の部分と光束との間に、反射防止塗料が配置されるため、ゴーストやフレアーといった内面反射の原因を排除できる。また、ステータヨーク１９１、１９２と光束との間に壁などを設ける必要がなくなるため、高度な作業を行う必要がなくなる。
【００９０】
本発明は、フォーカス駆動に用いられるコイル、振れ補正ユニットのシフト駆動系のコイルにも適用することができる。また、コイル、マグネット、ヨーク以外の構成要素を有する、例えば、振動型モータ（圧電素子を周波信号で駆動してロータを回転させる構成）などのアクチュエータに適用することもできる。上記の振動型モータを用いる構成において、円環型の振動型モータでは、円環部分の内周（光束側）に、上記の光束側に反射防止処理を施したフレキシブル基板を配置する構成とすることができ、また円柱状の振動型モータを用いる構成では、円柱部分の光束に面する部分に、上記の光束側に反射防止処理を施したフレキシブル基板を沿わせて配置する構成とすることができる。
【００９１】
また、フレキシブル基板の光束側の面に施す反射防止処理として、反射防止塗料を塗布したが、他の方法として、植毛紙などの植毛を有するシート状部材をフレキシブル基板に貼り付ける構成、あるいはフレキシブル基板に植毛処理を施した構成としてもよい。
【図面の簡単な説明】
【００９２】
【図１】本発明の光学機器の一例であるカメラの正面図
【図２】レンズ鏡筒の断面図
【図３】図１の振れ補正ユニットの分解斜視図
【図４】振れ補正ユニットを光軸方向から見た図
【図５】実施例２の振れ補正ユニットを光軸方向から見た図
【図６】実施例３の絞りユニットの斜視図
【図７】絞りユニットの駆動源であるステッピングモータの分解図
【図８】従来の振れ補正ユニットを光軸方向から見た図
【符号の説明】
【００９３】
１２：振れ補正ユニット
１７：絞りユニット
３０：地板
３１：支持枠
４５：ロックリング
４６：ロックＦＰＣ
４９：ロックコイル
【図１】
2005221959.tif 000003
【図２】
2005221959.tif 000004
【図３】
2005221959.tif 000005
【図４】
2005221959.tif 000006
【図５】
2005221959.tif 000007
【図６】
2005221959.tif 000008
【図７】
2005221959.tif 000009
【図８】
2005221959.tif 000010